(57)【要約】【課題】照明光の強度を簡易な構成で増減させることができる点灯装置などを提供する。【解決手段】点灯装置１００は、照明光を出射する照明部２０を制御する照明制御部１１０を備え、照明制御部１１０は、折線で構成され、かつ、強度の増減が繰り返される第１の信号波形１２５を、滑らかな曲線で構成される信号波形に変換し、第１の出力波形１３１として出力する第１のフィルタ部１３０を有し、第１の出力波形１３１に従って照明光の強度の増減が繰り返されるように照明部２０を制御する。【選択図】図３
2018147566.tif 000002
【特許請求の範囲】
【請求項１】
照明光を出射する照明部を制御する照明制御部を備え、
前記照明制御部は、
折線で構成され、かつ、強度の増減が繰り返される第１の信号波形を、滑らかな曲線で構成される信号波形に変換し、第１の出力波形として出力する第１のフィルタ部を有し、
前記第１の出力波形に従って前記照明光の強度の増減が繰り返されるように前記照明部を制御する
点灯装置。
【請求項２】
前記照明制御部は、さらに、第１の基準波形に変調波形を繰り返し重畳することで前記第１の信号波形を生成し、生成した第１の信号波形を前記第１のフィルタ部に出力する信号波形生成部を有し、
前記第１の基準波形は、直線又は折線で構成され、
前記変調波形は、始点と終点との間にピークを有する折線波形である
請求項１に記載の点灯装置。
【請求項３】
前記変調波形は、前記始点と前記終点との間に、前記ピークを含む少なくとも２つの構成点を有する折線波形である
請求項２に記載の点灯装置。
【請求項４】
前記少なくとも２つの構成点には、前記始点と前記ピークとの間に、前記ピークの強度の半分より小さい強度の構成点が含まれる
請求項３に記載の点灯装置。
【請求項５】
前記第１の基準波形は、単調減少関数で表される
請求項２〜４のいずれか１項に記載の点灯装置。
【請求項６】
前記照明制御部は、前記第１の基準波形が構成する直線又は折線上に、前記変調波形の繰り返し毎の前記始点及び前記終点が位置し、かつ、前記変調波形の繰り返し毎に、直前の前記終点と直後の前記始点とが一致するように、前記第１の基準波形に前記変調波形を繰り返し重畳する
請求項２〜５のいずれか１項に記載の点灯装置。
【請求項７】
前記照明制御部は、第２の基準波形が構成する直線又は折線上に、前記変調波形の繰り返し毎の前記ピークが位置するように、前記第１の基準波形に前記変調波形を繰り返し重畳する
請求項６に記載の点灯装置。
【請求項８】
前記第１の基準波形と前記第２の基準波形とは、同じ形状である
請求項７に記載の点灯装置。
【請求項９】
前記第２の基準波形は、前記第１の基準波形より減少の割合が大きい部分を含んでいる
請求項７に記載の点灯装置。
【請求項１０】
前記照明部は、互いに光色が異なる光を出射する第１の光源及び第２の光源を含み、
前記照明制御部は、
前記第１の出力波形と、折線又は直線で構成される第２の信号波形とに基づいて、前記第１の光源及び前記第２の光源の各々が出射する光の強度を決定する出力決定部を、さらに有し、
前記第１の出力波形に従って前記照明光の強度の増減が繰り返され、かつ、前記照明光の光色が変化するように、前記出力決定部によって決定された強度で前記第１の光源及び前記第２の光源を発光させる
請求項１〜９のいずれか１項に記載の点灯装置。
【請求項１１】
前記照明制御部は、さらに、前記第２の信号波形を滑らかな曲線で構成される信号波形に変換し、第２の出力波形として出力する第２のフィルタ部を有し、
前記出力決定部は、前記第１の出力波形と前記第２の出力波形とに基づいて、前記第１の光源及び前記第２の光源の各々が出射する光の強度を決定する
請求項１０に記載の点灯装置。
【請求項１２】
前記照明制御部は、前記照明光の強度の増減の繰り返しの開始時点から、前記照明光の光色の変化が開始するように、前記照明部を制御する
請求項１０又は１１に記載の点灯装置。
【請求項１３】
前記照明制御部は、前記照明光の強度の増減の繰り返し周期において、繰り返し周期内での相対的な強度の増減に応じて前記照明光の光色が変化するように、前記照明部を制御する
請求項１０〜１２のいずれか１項に記載の点灯装置。
【請求項１４】
前記照明制御部は、前記照明光の強度の絶対値に応じて前記照明光の光色が変化するように、前記照明部を制御する
請求項１０〜１２のいずれか１項に記載の点灯装置。
【請求項１５】
前記照明光の光色は、前記照明光の色温度であり、
前記照明制御部は、前記照明光の色温度が、前記照明光の強度の増減の繰り返しの開始時点から単調減少するように、前記照明部を制御する
請求項１０〜１２のいずれか１項に記載の点灯装置。
【請求項１６】
前記照明制御部は、前記照明光の強度の増減の繰り返し周期における強度の最大値若しくは最小値、又は、最大値及び最小値の両方が漸次減少するように、前記照明部を制御する
請求項１に記載の点灯装置。
【請求項１７】
前記照明制御部は、前記繰り返し周期における強度の最小値を所定の値で第１の期間維持した後、当該最小値が漸次減少するように、前記照明部を制御する
請求項１６に記載の点灯装置。
【請求項１８】
前記照明制御部は、前記繰り返し周期における強度の最大値又は最小値の漸次減少を開始してから第２の期間経過した後、当該最小値が０になるように、前記照明部を制御する
請求項１６又は１７に記載の点灯装置。
【請求項１９】
前記照明制御部は、前記繰り返し周期における強度の最小値が０となる場合に、当該最小値が０で第３の期間維持されるように、前記照明部を制御する
請求項１６〜１８のいずれか１項に記載の点灯装置。
【請求項２０】
前記第３の期間は、前記繰り返し周期毎に漸次増大する
請求項１９に記載の点灯装置。
【請求項２１】
前記照明制御部は、前記繰り返し周期における強度の最小値が０になった後、前記繰り返し周期における強度の最大値が第１の値になるように、前記照明部を制御する
請求項１８〜２０のいずれか１項に記載の点灯装置。
【請求項２２】
前記照明部は、第１の光源と、当該第１の光源より色温度が高い光を出射する第２の光源とを含み、
前記照明制御部は、前記照明光の強度が第２の値より小さい場合に、前記第１の光源及び前記第２の光源のうち前記第１の光源のみから光が出射されるように、前記照明部を制御する
請求項１６〜２１のいずれか１項に記載の点灯装置。
【請求項２３】
前記照明制御部は、前記繰り返し周期における強度の最小値が０になった後、前記第１の光源及び前記第２の光源のうち前記第１の光源のみから光が出射されるように、前記照明部を制御する
請求項２２に記載の点灯装置。
【請求項２４】
請求項１〜２３のいずれか１項に記載の点灯装置と、
前記照明部とを備える
電子機器。
【請求項２５】
請求項１〜２３のいずれか１項に記載の点灯装置と、
前記照明部とを備える
照明器具。
【発明の詳細な説明】
【技術分野】
【０００１】
本発明は、点灯装置、並びに、当該点灯装置を備える電子機器及び照明器具に関する。
【背景技術】
【０００２】
従来、蝋燭などの自然の灯火の明るさとゆらぎを再現する照明装置が開示されている（例えば、特許文献１参照）。特許文献１に記載の照明装置は、発光体と、当該発光体に所定の周波数を与える周波数発生部と、エネルギー変化データを記憶する記憶部とを備える。周波数発生部が周波数を切り替えて発光体に与えることで、発光体の明暗を変化させる。
【先行技術文献】
【特許文献】
【０００３】
【特許文献１】特開２０１１−４８９５５号公報
【発明の概要】
【発明が解決しようとする課題】
【０００４】
しかしながら、上記従来の装置では、複数の周波数発生部を備え、構成が複雑になるという問題がある。
【０００５】
そこで、本発明は、照明光の強度を簡易な構成で増減させることができる点灯装置、並びに、当該点灯装置を備える電子機器及び照明器具を提供することを目的とする。
【課題を解決するための手段】
【０００６】
上記目的を達成するため、本発明の一態様に係る点灯装置は、照明光を出射する照明部を制御する照明制御部を備え、前記照明制御部は、折線で構成され、かつ、強度の増減が繰り返される第１の信号波形を、滑らかな曲線で構成される信号波形に変換し、第１の出力波形として出力する第１のフィルタ部を有し、前記第１の出力波形に従って前記照明光の強度の増減が繰り返されるように前記照明部を制御する。
【０００７】
また、本発明の一態様に係る電子機器は、前記点灯装置と、前記照明部とを備える。
【０００８】
また、本発明の一態様に係る照明器具は、前記点灯装置と、前記照明部とを備える。
【発明の効果】
【０００９】
本発明によれば、照明光の強度を簡易な構成で増減させることができる点灯装置などを提供することができる。
【図面の簡単な説明】
【００１０】
【図１】実施の形態１に係る点灯装置を備える照明器具の使用環境の一例を示す模式図である。
【図２】実施の形態１に係る点灯装置を備える照明器具の構成を示す機能ブロック図である。
【図３】実施の形態１に係る点灯装置が備える照明制御部の構成を示す機能ブロック図である。
【図４】実施の形態１に係る照明制御部が備える第１のフィルタ部に対する入力波形及び出力波形と、当該出力波形に基づく照明光の強度の変化とを示す図である。
【図５】実施の形態２に係る点灯装置が備える照明制御部の構成を示す機能ブロック図である。
【図６】実施の形態２に係る照明制御部が備える信号波形生成部の動作を説明するための図である。
【図７】実施の形態３に係る点灯装置が備える照明制御部の構成を示す機能ブロック図である。
【図８】実施の形態３に係る照明制御部が備える信号波形生成部の動作の一例を説明するための図である。
【図９】実施の形態３に係る照明制御部が備える信号波形生成部の動作の別の例を説明するための図である。
【図１０】実施の形態４に係る点灯装置を備える照明器具の構成を示す機能ブロック図である。
【図１１】実施の形態４に係る点灯装置が備える照明制御部の構成の一例を示す機能ブロック図である。
【図１２Ａ】実施の形態４に係る第２の信号波形の一例を示す図である。
【図１２Ｂ】図１２Ａに示す第２の信号波形に基づく照明光の一例を示す図である。
【図１３Ａ】実施の形態４に係る第２の信号波形の別の一例を示す図である。
【図１３Ｂ】図１３Ａに示す第２の信号波形に基づく照明光の一例を示す図である。
【図１４】実施の形態４の変形例１に係る点灯装置が備える照明制御部の構成を示す機能ブロック図である。
【図１５Ａ】実施の形態４の変形例２に係る第２の信号波形の一例を示す図である。
【図１５Ｂ】図１５Ａに示す第２の信号波形に基づく照明光の一例を示す図である。
【図１６】実施の形態５に係る点灯装置を備える照明器具の構成を示す機能ブロック図である。
【図１７Ａ】実施の形態５に係る点灯装置によって制御された照明部が出射する照明光の強度の時間変化の第１の例を示す図である。
【図１７Ｂ】実施の形態５に係る点灯装置によって制御された照明部が出射する照明光の強度の時間変化の第２の例を示す図である。
【図１７Ｃ】実施の形態５に係る点灯装置によって制御された照明部が出射する照明光の強度の時間変化の第３の例を示す図である。
【図１７Ｄ】実施の形態５に係る点灯装置によって制御された照明部が出射する照明光の強度の時間変化の第４の例を示す図である。
【図１７Ｅ】実施の形態５に係る点灯装置によって制御された照明部が出射する照明光の強度の時間変化の第５の例を示す図である。
【図１７Ｆ】実施の形態５に係る点灯装置によって制御された照明部が出射する照明光の強度の時間変化の第６の例を示す図である。
【図１７Ｇ】実施の形態５に係る点灯装置によって制御された照明部が出射する照明光の強度の時間変化の第７の例を示す図である。
【図１７Ｈ】実施の形態５に係る点灯装置によって制御された照明部が出射する照明光の強度の時間変化の第８の例を示す図である。
【図１８】実施の形態６に係る点灯装置を備える照明器具の構成を示す機能ブロック図である。
【図１９Ａ】実施の形態６に係る点灯装置によって制御された照明部が出射する照明光の強度の時間変化の第１の例を示す図である。
【図１９Ｂ】実施の形態６に係る点灯装置によって制御された照明部が出射する照明光の強度の時間変化の第２の例を示す図である。
【図１９Ｃ】実施の形態６に係る点灯装置によって制御された照明部が出射する照明光の強度の時間変化の第３の例を示す図である。
【発明を実施するための形態】
【００１１】
以下では、本発明の実施の形態に係る点灯装置、電子機器及び照明器具について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。また、以下の実施の形態において、略一定などの「略」を用いた表現を用いている。例えば、略一定は、完全に一定であることを意味するだけでなく、実質的に一定である、すなわち、例えば数％程度の差異を含むことも意味する。他の「略」を用いた表現についても同様である。
【００１３】
（実施の形態１）
［概要］
まず、実施の形態１に係る点灯装置の概要について、図１を用いて説明する。図１は、本実施の形態に係る点灯装置１００（図２を参照）を備える照明器具１の使用環境の一例を示す模式図である。
【００１４】
本実施の形態では、図１に示すように、照明器具１は、寝室の天井に取り付けられたシーリングライトであり、寝室の内部の全体を照明する。このため、ユーザ２は、ベッド３に横たわった場合に、照明器具１が出射する照明光を浴びる。照明器具１は、強度の増減を繰り返す照明光（いわゆる、揺らぎ照明光）を出射することで、ユーザ２を心地良い眠りを誘うことができる。照明器具１が出射する揺らぎ照明光は、照明器具１が備える点灯装置１００によって形成される。照明器具１は、シーリングライトでなくてもよく、ダウンライト、スポットライト、ブラケットライト、フロアライトなどの照明光を出射する装置である。
【００１５】
なお、揺らぎ照明光を出射する装置は、照明器具１でなくてもよい。例えば、図１に示すように、スマートフォンなどの電子機器４が揺らぎ照明光を出射してもよい。すなわち、電子機器４が点灯装置１００を備えてもよい。電子機器４は、スマートフォンでなくてもよく、プロジェクタ又はテレビなどの発光部を有する装置である。
【００１６】
［構成］
次に、実施の形態１に係る照明器具１及び点灯装置１００の構成について、図２及び図３を用いて説明する。図２は、本実施の形態に係る点灯装置１００を備える照明器具１の構成を示す機能ブロック図である。図３は、本実施の形態に係る点灯装置１００が備える照明制御部１１０の構成を示す機能ブロック図である。
【００１７】
図２に示すように、照明器具１は、電源部１０と、照明部２０と、点灯装置１００とを備える。
【００１８】
電源部１０は、点灯装置１００及び照明部２０に電力を供給する。例えば、電源部１０は、商用電源などの交流電力を受ける受電回路と、受電した交流電力を直流電力に変換するコンバータ回路などで構成される。電源部１０は、着脱可能な蓄電装置などでもよい。
【００１９】
照明部２０は、照明光を出射する。具体的には、照明部２０は、１以上の光源を有する。光源は、ＬＥＤ（Ｌｉｇｈｔ  Ｅｍｉｔｔｉｎｇ  Ｄｉｏｄｅ）などの発光素子である。なお、光源は、レーザ素子、有機ＥＬ（Ｅｌｅｃｔｒｏｌｕｍｉｎｅｓｃｅｎｃｅ）素子などの固体発光素子でもよく、蛍光ランプなどの放電ランプなどでもよい。
【００２０】
照明部２０は、調光機能を有する。すなわち、照明部２０は、出射する照明光の強度（明るさ）を変更することができる。具体的には、照明部２０は、消灯状態（光出力が０、調光比０％）から全点灯状態（光出力が最大、調光比１００％）の範囲で、点灯装置１００によって決定された強度の照明光を出射する。例えば、照明部２０は、点灯装置１００による制御に基づいて、強度の増減を繰り返す揺らぎ照明光を出射する。
【００２１】
点灯装置１００は、照明部２０の点灯及び消灯、並びに、調光などを制御する装置である。図２に示すように、点灯装置１００は、照明部２０を制御する照明制御部１１０を備える。
【００２２】
なお、点灯装置１００は、ユーザ２からの操作を受け付ける操作受付部（図示せず）を備えてもよい。操作受付部は、例えば、照明部２０を点灯又は消灯させる点灯指示又は消灯指示、照明光の強度を決定する調光指示などを受け付ける。操作受付部は、さらに、照明部２０の動作モードを決定するモード指示などを受け付けてもよい。
【００２３】
照明制御部１１０は、照明部２０を揺らぎモードで動作させる。揺らぎモードでは、通常の点灯状態（照明光の強度が一定）から消灯状態に向かって、照明光の強度が、増減を繰り返しながら徐々に減少していく。揺らぎモードが実行された場合に、照明部２０は、強度が徐々に減少する揺らぎ照明光を出射する。揺らぎモードの動作及び揺らぎ照明光の具体例については、後で説明する。
【００２４】
照明制御部１１０は、照明部２０を通常モードで動作させてもよい。通常モードでは、照明光の強度が一定である。通常モードにおける照明光の強度は、例えば、操作受付部を介してユーザ２から受け付けた調光指示に基づいて決定される。
【００２５】
本実施の形態では、図３に示すように、照明制御部１１０は、記憶部１２０と、第１のフィルタ部１３０とを備える。照明制御部１１０は、例えばマイクロコントローラであるが、専用回路で実現されてもよい。
【００２６】
記憶部１２０は、第１の信号波形１２５を記憶するためのメモリである。第１の信号波形１２５は、照明部２０が出射する照明光の強度を変化させる制御信号の元になる信号の波形である。
【００２７】
ここで、図４は、本実施の形態に係る照明制御部１１０が備える第１のフィルタ部１３０に対する入力波形及び出力波形と、当該出力波形に基づく照明光の強度の変化とを示す図である。第１の信号波形１２５は、図４の（ａ）に示すように、折線で構成され、かつ、強度の増減が繰り返される信号波形である。第１の信号波形１２５は、第１のフィルタ部１３０に入力される信号の波形（入力波形）である。
【００２８】
第１の信号波形１２５は、折線で構成されているので、記憶部１２０に記憶すべきデータ量が少なくて済む。具体的には、第１の信号波形１２５は、複数の折れ曲がり点を含んでおり、当該複数の折れ曲がり点を順に直線（線分）で結ぶことで形成される。複数の折れ曲がり点はそれぞれ、時間と信号強度とを要素とする座標で表現される。時間は、例えば、揺らぎモードの開始時刻からの相対的な時刻（時間差）で示される。
【００２９】
記憶部１２０は、第１の信号波形１２５として、複数の折れ曲がり点の各々の座標（時刻，信号強度）を記憶する。つまり、出力波形を構成する座標、及び、出力波形の傾きなどを記憶していなくてもよく、出力波形を形成するのに必要なデータ量を削減することができる。このため、記憶部１２０のメモリ資源を節約することができる。あるいは、記憶部１２０として小型で安価な記憶容量の少ないメモリを利用することができる。
【００３０】
第１のフィルタ部１３０は、第１の信号波形１２５を、滑らかな曲線で構成される信号波形に変換し、第１の出力波形１３１として出力する。具体的には、第１のフィルタ部１３０は、図４の（ｂ）に示すように、入力された第１の信号波形１２５の直線部分及び折れ曲がり点を滑らかな曲線に変換することで、第１の出力波形１３１を生成して出力する。例えば、第１のフィルタ部１３０は、ＲＣフィルタ、移動平均フィルタ、スプラインフィルタなどのローパスフィルタで実現されるが、これに限らない。
【００３１】
なお、第１のフィルタ部１３０のフィルタ強度、すなわち、折線を曲線に変換する度合いは、特に限定されない。例えば、変換後の曲線は、スプライン曲線又はベジェ曲線などでもよい。
【００３２】
照明制御部１１０は、第１のフィルタ部１３０から出力される第１の出力波形１３１に従って照明光の強度の増減が繰り返されるように照明部２０を制御する。具体的には、照明制御部１１０は、図４の（ｂ）に示す第１の出力波形１３１に基づいた制御信号を生成して照明部２０に出力する。照明部２０では、図４の（ｃ）に示すように、第１の出力波形１３１の強度の増減に合わせて強度が変化する照明光を出射する。
【００３３】
これにより、照明器具１は、強度が滑らかに増減を繰り返しながら変化する揺らぎ照明光を出射する。強度の変化が滑らかであって急激な強度の変化が現れないので、ユーザ２の緊張を和らげ、リラックスさせることができる。例えば、照明器具１は、ユーザ２が就寝するときに、揺らぎモードで照明部２０を動作させる。これにより、ユーザ２の緊張を和らげて眠気を誘発し、心地良い眠りに誘うことができる。
【００３４】
［効果など］
以上のように、本実施の形態に係る点灯装置１００は、照明光を出射する照明部２０を制御する照明制御部１１０を備え、照明制御部１１０は、折線で構成され、かつ、強度の増減が繰り返される第１の信号波形１２５を、滑らかな曲線で構成される信号波形に変換し、第１の出力波形１３１として出力する第１のフィルタ部１３０を有し、第１の出力波形１３１に従って照明光の強度の増減が繰り返されるように照明部２０を制御する。
【００３５】
これにより、第１のフィルタ部１３０によって折線の信号波形を曲線の信号波形に変換することができるので、記憶部１２０は、折線を構成する複数の折れ曲がり点の座標（時刻，強度）のみを記憶しておくことで、滑らかに増減する第１の出力波形１３１が形成される。つまり、曲線で構成される第１の出力波形１３１を形成するのに必要なデータ量を削減することができ、メモリ資源を節約することができる。
【００３６】
このように、本実施の形態によれば、照明光の強度を簡易な構成で増減させることができる点灯装置１００を提供することができる。また、本実施の形態によれば、点灯装置１００を備える照明器具１又は電子機器４を提供することができる。
【００３７】
（実施の形態２）
続いて、実施の形態２について説明する。
【００３８】
本実施の形態では、実施の形態１と比較して、照明制御部の動作が相違する。以下では、実施の形態１との相違点を中心に説明し、共通点の説明を省略又は簡略化する。
【００３９】
［構成］
図５は、本実施の形態に係る点灯装置が備える照明制御部２１０の構成を示す機能ブロック図である。図５に示すように、照明制御部２１０は、信号波形生成部２２１と、第１のフィルタ部１３０とを備える。
【００４０】
信号波形生成部２２１は、第１の基準波形２２２に変調波形２２３を繰り返し重畳することで第１の信号波形を生成し、生成した第１の信号波形を第１のフィルタ部１３０に出力する。信号波形生成部２２１は、第１の基準波形２２２及び変調波形２２３を記憶する記憶部２２０を有する。第１の基準波形２２２及び変調波形２２３はそれぞれ、横軸を時間、縦軸を強度とするグラフで表される。
【００４１】
図６は、本実施の形態に係る信号波形生成部２２１の動作を説明するための図である。図６の（ａ）〜（ｃ）はそれぞれ、第１の基準波形２２２、変調波形２２３及び第１の信号波形２２５を示している。
【００４２】
図６の（ａ）に示すように、第１の基準波形２２２は、折線で構成されている。具体的には、第１の基準波形２２２は、始点Ｑ０と、折れ曲がり点Ｑ１と、終点Ｑ２とを備える。第１の基準波形２２２は、強度が一定の一定部分２２２ａと、強度が一定の割合で減少する減少部分２２２ｂとを有する。一定部分２２２ａは、始点Ｑ０と折れ曲がり点Ｑ１とを結ぶ線分である。減少部分２２２ｂは、折れ曲がり点Ｑ１と終点Ｑ２とを結ぶ線分である。
【００４３】
第１の基準波形２２２は、単調減少関数で表される。つまり、第１の基準波形２２２では、時間が経過したとしても強度が増加することはない。具体的には、第１の基準波形２２２では、始点Ｑ０で最も強度が高く、以降、当該強度を超えることがない。例えば、始点Ｑ０の座標（時刻，強度）が（０，ｑ０）である場合、第１の基準波形２２２のピークの強度は、ｑ０である。
【００４４】
一定部分２２２ａの長さ（時間）をＴ１とすると、折れ曲がり点Ｑ１の座標は、（Ｔ１，ｑ０）で表される。第１の基準波形２２２の長さ（時間）をＴ２とすると、終点Ｑ２の座標は（Ｔ２，ｑ２）で表される。本実施の形態では、一定部分２２２ａの長さは、変調波形２２３の長さＴより長い。終点Ｑ２の強度ｑ２は、０でもよい。
【００４５】
なお、第１の基準波形２２２は、一定部分２２２ａの代わりに、減少部分２２２ｂとは減少の割合が異なる減少部分を有してもよい。すなわち、第１の基準波形２２２は、減少の割合が異なる複数の減少部分で構成されていてもよい。あるいは、第１の基準波形２２２は、直線で構成されていてもよい。例えば、第１の基準波形２２２は、減少部分２２２ｂのみで構成されていてもよい。
【００４６】
変調波形２２３は、図６の（ｂ）に示すように、始点Ｐ０と終点ＰＥとの間にピークを有する折線波形である。本実施の形態では、変調波形２２３は、始点Ｐ０と終点ＰＥとの間に、ピークを含む少なくとも２つの構成点を有する。具体的には、図６の（ｂ）に示すように、変調波形２２３は、始点Ｐ０と終点ＰＥとの間に３つの構成点Ｐ１〜Ｐ３を有する。
【００４７】
ここで、変調波形２２３の始点Ｐ０、終点ＰＥ及び構成点Ｐ１〜Ｐ３の各々の座標（時刻，強度）を、Ｐ０（０，０）、ＰＥ（Ｔ，０）、Ｐ１（ｔ１，ｐ１）、Ｐ２（ｔ２，ｐ２）、Ｐ３（ｔ３，ｐ３）とする。なお、終点ＰＥの時刻Ｔは、変調波形２２３の繰り返し周期に相当する。本実施の形態では、０＜ｔ１＜ｔ２＜ｔ３＜Ｔであり、０＜ｐ１＜ｐ２≦ｐ３である。
【００４８】
図６の（ｂ）に示す例では、構成点Ｐ３がピークである。構成点Ｐ１は、始点Ｐ０とピークである構成点Ｐ３との間に位置しており、ピークの強度の半分より小さい強度の構成点である。つまり、ｐ１＜ｐ３／２である。
【００４９】
本実施の形態では、第１の基準波形２２２は、変調波形２２３の繰り返し毎の最小値を規定する波形である。つまり、変調波形２２３の繰り返し毎に、始点Ｐ０及び終点ＰＥが第１の基準波形２２２上に位置する。具体的には、信号波形生成部２２１は、第１の基準波形２２２が構成する折線又は直線上に、変調波形２２３の繰り返し毎の始点Ｐ０及び終点ＰＥが位置し、かつ、変調波形２２３の繰り返し毎に、直前の終点ＰＥと直後の始点Ｐ０とが一致するように、第１の基準波形２２２に変調波形２２３を繰り返し重畳する。これにより、信号波形生成部２２１は、例えば図６の（ｃ）に示す第１の信号波形２２５を生成して、第１のフィルタ部１３０に出力する。
【００５０】
本実施の形態では、信号波形生成部２２１は、第１の基準波形２２２に、連続して繰り返される複数の変調波形２２３を加えることで、第１の信号波形２２５を生成する。信号波形生成部２２１は、折線で構成される第１の信号波形２２５の折れ曲がり点（構成点）を決定することで、第１の信号波形２２５を生成する。第１の信号波形２２５の折れ曲がり点には、図６の（ｃ）に示すように、始点Ｒ０と、繰り返し毎の構成点Ｒ１ｎ〜Ｒ４ｎ（ｎは繰り返しの回数）とを含んでいる。
【００５１】
第１の信号波形２２５の始点Ｒ０は、第１の基準波形２２２の始点Ｑ０と変調波形２２３の始点Ｐ０との和で表される。本実施の形態では、変調波形２２３の始点Ｐ０の座標が（０，０）であるので、Ｒ０の座標は、Ｑ０の座標（０，ｑ０）に一致する。
【００５２】
次に、信号波形生成部２２１は、構成点Ｒ１０〜Ｒ４０を決定する。例えば、構成点Ｒ１０の時間座標は、始点Ｑ０の時刻（０）と構成点Ｐ１の時刻（ｔ１）との和であり、ｔ１になる。構成点Ｐ１の強度座標は、時刻ｔ１における第１の基準波形２２２の構成点の強度と、変調波形２２３の構成点Ｐ１の強度（ｐ１）との和である。なお、時刻ｔ１における第１の基準波形２２２は、一定部分２２２ａに含まれるので、時刻ｔ１における第１の基準波形２２２の構成点の強度は、始点Ｑ０と同じｑ０である。したがって、構成点Ｒ１０の座標は、（ｔ１，ｑ０＋ｐ１）になる。以降、同様にして、構成点Ｒ２０〜Ｒ４０の座標はそれぞれ、（ｔ２，ｑ０＋ｐ２）、（ｔ３，ｑ０＋ｐ３）及び（Ｔ，ｑ０）になる。
【００５３】
信号波形生成部２２１は、第１の基準波形２２２に対する変調波形２２３の重畳（具体的には、加算）を繰り返す。例えば、変調波形２２３の終点ＰＥに相当する構成点Ｒ４０を次の変調波形２２３の始点Ｐ０に一致させて、構成点Ｐ１〜Ｐ３及び終点ＰＥに対応する構成点Ｒ１１〜Ｒ４１を決定する。例えば、構成点Ｒ１１〜Ｒ４１の座標はそれぞれ、（Ｔ＋ｔ１，ｑ０＋ｐ１）、（Ｔ＋ｔ２，ｑ０＋ｐ２）、（Ｔ＋ｔ３，ｑ０＋ｐ３）、（２Ｔ，ｑ０）になる。
【００５４】
ここでは、変調波形２２３を加える部分が第１の基準波形２２２の一定部分２２２ａである場合について説明したが、変調波形２２３を減少部分２２２ｂに加える場合も同様である。具体的には、変調波形２２３の構成点Ｐ１〜Ｐ３の各々に対応する時刻における減少部分２２２ｂの強度を算出し、算出した強度と変調波形２２３の構成点Ｐ１〜Ｐ３の強度とを加算すればよい。
【００５５】
以降、変調波形２２３の重畳を繰り返すことで、図６の（ｃ）に示すような折線で構成される第１の信号波形２２５が生成される。本実施の形態に係る第１の信号波形２２５では、強度の増減の繰り返し毎の始点とピークとの差（増減の大きさ）は略一定であり、具体的には、変調波形２２３のピークの強度（ｐ３）に相当する。
【００５６】
［効果など］
以上のように、本実施の形態に係る照明器具では、例えば、照明制御部２１０は、さらに、第１の基準波形２２２に変調波形２２３を繰り返し重畳することで第１の信号波形２２５を生成し、生成した第１の信号波形２２５を第１のフィルタ部１３０に出力する信号波形生成部２２１を有し、第１の基準波形２２２は、直線又は折線で構成され、変調波形２２３は、始点Ｐ０と終点ＰＥとの間にピークを有する折線波形である。
【００５７】
これにより、第１の信号波形２２５を第１の基準波形２２２と変調波形２２３とに基づいて生成するので、記憶すべきデータ量をより削減することができる。つまり、第１の信号波形２２５の各々の折れ曲がり点の座標を記憶しなくてもよく、第１の基準波形２２２及び変調波形２２３の各々の構成点の座標を記憶するだけで、第１の信号波形２２５を生成することができる。
【００５８】
例えば、第１の基準波形２２２は、始点Ｑ０と折れ曲がり点Ｑ１と終点Ｑ２との３つの座標から構成することができ、変調波形２２３は、始点Ｐ０と終点ＰＥと構成点Ｐ１〜Ｐ５との５つの座標から構成することができる。これらの８つの座標を記憶するだけで、強度の増減を繰り返しながら徐々に減少する第１の信号波形２２５を生成することができる。
【００５９】
なお、第１の基準波形２２２及び変調波形２２３の座標ではなく、各折線の傾き及び長さなどを記憶してもよい。
【００６０】
また、例えば、変調波形２２３は、始点Ｐ０と終点ＰＥとの間に、ピークを含む少なくとも２つの構成点Ｐ１〜Ｐ３を有する折線波形である。
【００６１】
これにより、少なくとも２つの構成点の座標を調整することで、様々な形状の折線波形を形成することができる。構成点の個数が増える程、記憶すべきデータ量は増加するが、座標のみを記憶すればよいので、データ量の増加は抑えられる。このように、データ量の増加を抑制しつつ、照明光の強度の増減を細かく調整することができる。
【００６２】
例えば、少なくとも２つの構成点には、始点Ｐ０とピーク（構成点Ｐ３）との間に、ピークの強度の半分より小さい強度の構成点Ｐ１が含まれる。同様に、ピーク（構成点Ｐ３）と終点ＰＥとの間に、ピーク強度の半分より小さい強度の構成点が含まれていてもよい。
【００６３】
これにより、ピークの前又は後に強度が小さい構成点Ｐ１が含まれるので、強度を緩やかに増加又は減少させることができる。したがって、照明光の強度が増減を繰り返す場合において、強度が緩やかに増加又は減少するので、当該照明光は、ユーザ２に安心感を与えることができる“優しい”光となる。よって、ユーザ２の緊張を一層和らげて眠気を誘発し、心地良い眠りにスムーズに誘うことができる。
【００６４】
また、例えば、第１の基準波形２２２は、単調減少関数で表される。
【００６５】
これにより、照明光の強度を徐々に減少させることができる。
【００６６】
また、例えば、照明制御部２１０は、第１の基準波形２２２が構成する直線又は折線上に、変調波形２２３の繰り返し毎の始点Ｐ０及び終点ＰＥが位置し、かつ、変調波形２２３の繰り返し毎に、直前の終点ＰＥと直後の始点Ｐ０とが一致するように、第１の基準波形２２２に変調波形２２３を繰り返し重畳する。
【００６７】
これにより、照明光の強度の増減の繰り返し毎の最小値が第１の基準波形２２２に沿って変化する。このため、第１の基準波形２２２の形状を適切に設定することで、照明光の揺らぎの最小値（すなわち、揺らぎ毎の最も暗いときの暗さ）を所望の暗さに調整することができる。なお、本明細書において、揺らぎ毎とは、強度の増減の繰り返し毎を意味しており、１つの揺らぎは、１回の繰り返し、すなわち、１つの変調波形２２３に相当する。
【００６８】
（実施の形態３）
続いて、実施の形態３について説明する。
【００６９】
本実施の形態では、実施の形態２と比較して、照明制御部の動作が相違する。以下では、実施の形態２との相違点を中心に説明し、共通点の説明を省略又は簡略化する。
【００７０】
［構成］
図７は、本実施の形態に係る点灯装置が備える照明制御部３１０の構成を示す機能ブロック図である。図７に示すように、照明制御部３１０は、信号波形生成部３２１と、第１のフィルタ部１３０とを備える。
【００７１】
信号波形生成部３２１は、第１の基準波形２２２及び第２の基準波形３２４に変調波形２２３を繰り返し重畳することで、第１の信号波形３２５（図８を参照）を生成し、生成した第１の信号波形３２５を第１のフィルタ部１３０に出力する。信号波形生成部３２１は、第１の基準波形２２２と、変調波形２２３と、第２の基準波形３２４とを記憶する記憶部３２０を有する。第１の基準波形２２２、第２の基準波形３２４及び変調波形２２３はそれぞれ、横軸を時間、縦軸を強度とするグラフで表される。
【００７２】
図８は、本実施の形態に係る信号波形生成部３２１の動作の一例を説明するための図である。図８の（ａ）〜（ｃ）はそれぞれ、第１の基準波形２２２及び第２の基準波形３２４と、変調波形２２３と、第１の信号波形３２５とを示している。図８の（ａ）及び（ｂ）に示すように、第１の基準波形２２２及び変調波形２２３は、実施の形態２と同様である。
【００７３】
図８の（ａ）に示すように、第２の基準波形３２４は、折線で構成されている。具体的には、第２の基準波形３２４は、始点Ｓ０と、折れ曲がり点Ｓ１と、終点Ｓ２とを備える。第２の基準波形３２４は、強度が一定の一定部分３２４ａと、強度が一定の割合で減少する減少部分３２４ｂとを有する。一定部分３２４ａは、始点Ｓ０と折れ曲がり点Ｓ１とを結ぶ線分である。減少部分３２４ｂは、折れ曲がり点Ｓ１と終点Ｓ２とを結ぶ線分である。
【００７４】
第２の基準波形３２４は、単調減少関数で表される。つまり、第２の基準波形３２４では、時間が経過したとしても強度が増加することはない。具体的には、第２の基準波形３２４では、始点Ｓ０で最も強度が高く、以降、当該強度を超えることがない。例えば、始点Ｓ０の座標（時刻，強度）が（０，ｓ０）である場合、第２の基準波形３２４のピークの強度は、ｓ０である。
【００７５】
一定部分３２４ａの長さ（時間）をＴ３とすると、折れ曲がり点Ｓ１の座標は、（Ｔ３、ｓ０）で表される。一定部分３２４ａは、第１の基準波形２２２の一定部分２２２ａより短い。すなわち、Ｔ３＜Ｔ１であるが、これに限らない。一定部分３２４ａと一定部分２２２ａとは同じ長さでもよく、あるいは、一定部分３２４ａは、一定部分２２２ａより長くてもよい。すなわち、Ｔ３≧Ｔ１でもよい。
【００７６】
減少部分３２４ｂは、第１の基準波形２２２の減少部分２２２ｂより傾き（減少の割合）が急峻であるが、これに限らない。減少部分３２４ｂと減少部分２２２ｂとは同じ傾きでもよく、あるいは、減少部分３２４ｂは、減少部分２２２ｂより傾きが緩やかでもよい。第２の基準波形３２４の長さ（時間）をＴ２とすると、終点Ｓ２の座標は（Ｔ２，ｓ２）で表される。このとき、終点Ｓ２の強度ｓ２は、０でもよい。
【００７７】
本実施の形態では、第１の基準波形２２２と第２の基準波形３２４とは途中で交差せず、常に、第２の基準波形３２４が第１の基準波形２２２より大きい。第１の基準波形２２２の終点Ｑ２と第２の基準波形３２４の終点Ｓ２とは一致していてもよい。
【００７８】
なお、第２の基準波形３２４は、一定部分３２４ａの代わりに、減少部分３２４ｂとは減少の割合が異なる減少部分を有してもよい。すなわち、第２の基準波形３２４は、減少の割合が異なる複数の減少部分で構成されていてもよい。あるいは、第２の基準波形３２４は、直線で構成されていてもよい。例えば、第２の基準波形３２４は、減少部分３２４ｂのみで構成されていてもよい。
【００７９】
本実施の形態では、第２の基準波形３２４は、変調波形２２３の繰り返し毎のピークの位置を規定する波形である。つまり、変調波形２２３の繰り返し毎に、ピーク（構成点Ｐ３）が第２の基準波形３２４上に位置する。具体的には、信号波形生成部３２１は、第２の基準波形３２４が構成する直線又は折線上に、変調波形２２３の繰り返し毎のピークが位置するように、第１の基準波形２２２に変調波形２２３を繰り返し重畳する。これにより、信号波形生成部３２１は、例えば図８の（ｃ）に示す第１の信号波形３２５を生成して、第１のフィルタ部１３０に出力する。
【００８０】
ここで、第１の基準波形２２２は、実施の形態２と同様に、変調波形２２３の繰り返し毎の始点Ｐ０及び終点ＰＥの位置を規定する波形である。このため、第１の基準波形２２２と第２の基準波形３２４とによって、変調波形２２３の繰り返し毎の強度の増減の幅が規定される。図８の（ａ）に示すように、第１の基準波形２２２と第２の基準波形３２４とが時間の経過につれて接近しているので、図８の（ｃ）に示すように、第１の信号波形３２５では、強度の増減の幅が徐々に小さくなる。
【００８１】
本実施の形態では、信号波形生成部３２１は、第１の基準波形２２２に、連続して繰り返される複数の変調波形２２３に第２の基準波形３２４を乗じたものを加えることで、第１の信号波形３２５を生成する。具体的には、信号波形生成部３２１は、始点Ｐ０と終点ＰＥとを除く、変調波形２２３の残りの構成点Ｐ１〜Ｐ３の強度値に、第１の基準波形２２２と第２の基準波形３２４との幅の比（幅の初期値を１とする）を乗ずることで、第１の信号波形３２５を生成する。
【００８２】
［効果など］
以上のように、本実施の形態に係る点灯装置では、例えば、照明制御部３１０は、第２の基準波形３２４が構成する直線又は折線上に、変調波形２２３の繰り返し毎のピークが位置するように、第１の基準波形２２２に変調波形２２３を繰り返し重畳する。
【００８３】
これにより、照明光の強度の増減の繰り返し毎の最大値が第２の基準波形３２４に沿って変化する。このため、第２の基準波形３２４の形状を適切に設定することで、照明光の揺らぎの最大値（すなわち、揺らぎ毎の最も明るいときの明るさ）を所望の明るさに調整することができる。
【００８４】
また、例えば、第２の基準波形３２４は、第１の基準波形２２２より減少の割合が大きい部分を含んでいる。
【００８５】
これにより、照明光の強度の増減の幅を徐々に小さくすることができる。例えば、明るい状態と暗い状態とを繰り返しながら、全体的に徐々に暗くすることができるので、心地良い眠りにスムーズにユーザ２を誘うことができる。
【００８６】
［変形例］
ここで、本実施の形態の変形例について説明する。
【００８７】
本実施の形態では、第２の基準波形３２４の形状が第１の基準波形２２２とは異なる場合について示したが、第２の基準波形３２４と第１の基準波形２２２とは、同じ形状であってもよい。
【００８８】
図９は、本変形例に係る信号波形生成部３２１の動作の別の例を説明するための図である。図９の（ａ）及び（ｂ）に示すように、第１の基準波形２２２及び変調波形２２３は、実施の形態３と同様である。
【００８９】
本変形例では、図９の（ｃ）に示すように、変調波形２２３の繰り返し毎のピークの位置を規定する波形である第２の基準波形３２４は、第１の基準波形２２２と同じ形状である。
【００９０】
このように、本変形例に係る点灯装置では、例えば、第１の基準波形２２２と第２の基準波形３２４とは、同じ形状である。
【００９１】
これにより、照明光の強度の増減の幅を略一定に保ったまま、全体として徐々に暗くすることができる。
【００９２】
（実施の形態４）
続いて、実施の形態４について説明する。
【００９３】
本実施の形態では、実施の形態３と比較して、照明部が複数の光源を有し、照明光の光色を変更することができる点が相違する。以下では、実施の形態３との相違点を中心に説明し、共通点の説明を省略又は簡略化する。
【００９４】
［構成］
図１０は、本実施の形態に係る点灯装置４００を備える照明器具４０１の構成を示す機能ブロック図である。図１０に示すように、照明器具４０１は、電源部１０と、点灯装置４００と、照明部４２０とを備える。
【００９５】
照明部４２０は、第１の光源４２１と、第２の光源４２２とを含んでいる。照明部４２０が出射する照明光は、第１の光源４２１が出射する光と第２の光源４２２が出射する光との混合光である。
【００９６】
第１の光源４２１及び第２の光源４２２は、互いに光色が異なる光を出射する。具体的には、第１の光源４２１が出射する光と、第２の光源４２２が出射する光とでは、色温度が異なる。より具体的には、第２の光源４２２は、第１の光源４２１が出射する光よりも色温度が高い光を出射する。第１の光源４２１が出射する光の色温度は、例えば３０００Ｋ以下であり、一例として２０００Ｋである。第２の光源４２２が出射する光の色温度は、例えば５０００Ｋ以上であり、一例として６５００Ｋである。
【００９７】
本実施の形態では、第１の光源４２１及び第２の光源４２２の少なくとも一方は、調光機能を有する。具体的には、点灯装置４００からの制御信号に基づいて、第１の光源４２１及び第２の光源４２２の少なくとも一方は、発光強度（光量）を変更することができる。第１の光源４２１及び第２の光源４２２の各々の光量の組み合わせによって、照明部４２０から出射される照明光の強度及び光色（具体的には、色温度）が変化する。
【００９８】
点灯装置４００は、照明制御部４１０を備える。図１１は、本実施の形態に係る点灯装置４００が備える照明制御部４１０の構成を示す機能ブロック図である。
【００９９】
図１１に示すように、照明制御部４１０は、図７に示す実施の形態３の照明制御部３１０と比較して、新たに記憶部４４１と、出力決定部４５０とを備える。
【０１００】
記憶部４４１には、第２の信号波形４４５が記憶されている。第２の信号波形４４５は、折線又は直線で構成される信号波形である。第２の信号波形４４５は、第１の出力波形の強度値と照明光の色温度との関係を示す信号波形である。第２の信号波形４４５の具体例については、後で説明する。
【０１０１】
出力決定部４５０は、第１の出力波形１３１と第２の信号波形４４５とに基づいて、第１の光源４２１及び第２の光源４２２の各々が出射する光の強度を決定する。本実施の形態では、出力決定部４５０は、第２の信号波形４４５に基づいて第１の出力波形１３１の強度値から照明光の色温度を決定し、照明部４２０から出射される照明光の色温度が、決定した色温度になるように、第１の光源４２１及び第２の光源４２２の各々の発光強度を決定する。
【０１０２】
照明制御部４１０は、出力決定部４５０によって決定された強度で第１の光源４２１及び第２の光源４２２を発光させる。これにより、照明部４２０は、第１の出力波形１３１に従って強度の増減が繰り返され、かつ、色温度が変化する照明光を出射する。本実施の形態では、照明制御部４１０は、照明光の強度の増減の繰り返しの開始時点から、照明光の色温度の変化が開始するように、照明部４２０を制御する。具体的には、照明制御部４１０は、揺らぎモードの開始と同時に色温度の変化も開始する。つまり、揺らぎモードでは、照明光の強度と色温度との両方が変化する。
【０１０３】
［具体例］
以下では、第２の信号波形と照明光との一例を説明する。
【０１０４】
＜相対変化＞
まず、繰り返し周期内での相対的な強度の増減に応じて色温度を変化させる例について、図１２Ａ及び図１２Ｂを用いて説明する。具体的には、照明制御部４１０は、照明光の強度の増減の繰り返し周期において、繰り返し周期内での相対的な強度の増減に応じて照明光の色温度が変化するように、照明部４２０を制御する。繰り返し周期内での相対的な強度の増減は、変調波形２２３を繰り返し重畳することで発生する。つまり、照明制御部４１０は、第２の信号波形４４５ａに基づいて、変調波形２２３の繰り返し毎に、変調波形２２３の強度の増減に応じて照明光の色温度を変化させる。
【０１０５】
図１２Ａは、本実施の形態に係る第２の信号波形４４５の一例である第２の信号波形４４５ａを示す図である。図１２Ａでは、横軸が変調波形２２３の信号強度を示し、縦軸は色温度を示している。図１２Ａに示すように、第２の信号波形４４５ａは、階段状の折線で構成されている。第２の信号波形４４５ａは、変調波形２２３の信号強度に応じて３段階で色温度が変化することを示している。
【０１０６】
図１２Ｂは、図１２Ａに示す第２の信号波形４４５ａに基づく照明光の一例を示す図である。図１２Ｂに示すように、照明光の強度の増減に合わせて色温度が変化する。具体的には、照明光の強度が弱くなる度に、低色温度になり、照明光の強度が強くなる度に、高色温度になる。つまり、照明光の強度の増減に合わせて、照明光の色温度も増減を繰り返す。
【０１０７】
＜絶対変化＞
また、色温度は、照明光の強度の絶対値に応じて変化させてもよい。具体的には、照明制御部４１０は、照明光の強度の絶対値に応じて照明光の色温度が変化するように、照明部４２０を制御する。
【０１０８】
図１３Ａは、本実施の形態に係る第２の信号波形４４５の別の一例である第２の信号波形４４５ｂを示す図である。図１３Ａでは、横軸が第１の出力波形１３１の信号強度（すなわち、照明光の強度）を示し、縦軸は色温度を示している。図１３Ａに示すように、第２の信号波形４４５ｂは、階段状の折線で構成されている。第２の信号波形４４５ｂは、第１の出力波形１３１の信号強度に応じて６段階で色温度が変化することを示している。
【０１０９】
図１３Ｂは、図１３Ａに示す第２の信号波形４４５ｂに基づく照明光の一例を示す図である。図１３Ｂに示すように、照明光の強度の増減に合わせて色温度が変化する。具体的には、照明光の強度の絶対値に対応した色温度に変化する。このため、例えば「色温度３」に着目した場合、最初の方では、照明光の強度が低くなったときに照明光の色温度が「色温度３」になるのに対して、時間が経過した後では、照明光の強度が高くなったときに「色温度３」になる。さらに、時間が経過した後では、照明光の色温度が「色温度３」にならない。
【０１１０】
なお、図１２Ｂ及び図１３Ｂに示される破線の直線は、色温度を切り替える閾値を示している。照明光の強度変化が破線の直線に交差する度に、照明光の色温度は、破線の直線に対応する色温度（具体的には、色温度１〜３又は１〜６）に切り替わる。つまり、図１２Ｂ及び図１３Ｂに示す例では、色温度は、段階的に変化する。これは、図１２Ａ及び図１３Ａで示したように、第２の信号波形４４５が階段状の折線で構成されているためである。
【０１１１】
［効果など］
以上のように、本実施の形態に係る点灯装置４００では、例えば、照明部４２０は、互いに光色が異なる光を出射する第１の光源４２１及び第２の光源４２２を含み、照明制御部４１０は、第１の出力波形１３１と、折線又は直線で構成される第２の信号波形４２５とに基づいて、第１の光源４２１及び第２の光源４２２の各々が出射する光の強度を決定する出力決定部４５０を、さらに有し、第１の出力波形１３１に従って照明光の強度の増減が繰り返され、かつ、照明光の光色が変化するように、出力決定部４５０によって決定された強度で第１の光源４２１及び第２の光源４２２を発光させる。
【０１１２】
これにより、照明光の強度だけでなく、光色（色温度）も変化させることができる。このため、例えば、照明光の色合いを変化させることで、ユーザ２のリラックス効果を高め、心地良い眠りに誘うことができる。
【０１１３】
また、例えば、照明制御部４１０は、照明光の強度の増減の繰り返しの開始時点から、照明光の光色の変化が開始するように、照明部４２０を制御する。
【０１１４】
これにより、揺らぎモードの開始に合わせて光色を変化させることができるので、スムーズにユーザ２を心地良い眠りに誘うことができる。
【０１１５】
また、例えば、照明制御部４１０は、照明光の強度の増減の繰り返し周期において、繰り返し周期内での相対的な強度の増減に応じて照明光の光色が変化するように、照明部４２０を制御してもよい。
【０１１６】
これにより、揺らぎ毎に光色の変化が一定になるので、スムーズにユーザ２を心地良い眠りに誘うことができる。
【０１１７】
また、例えば、照明制御部４１０は、照明光の強度の絶対値に応じて照明光の光色が変化するように、照明部４２０を制御してもよい。
【０１１８】
これにより、照明光の強度の絶対値に応じて光色が変化するので、同じ明るさであれば同じ色合いにすることができる。
【０１１９】
［変形例１］
ここで、実施の形態４の変形例１について説明する。
【０１２０】
図１４は、本変形例に係る照明制御部４１０ａの構成を示す機能ブロック図である。図１４に示すように、本変形例に係る照明制御部４１０ａは、実施の形態４に係る図１１の照明制御部４１０と比較して、さらに、第２のフィルタ部４６０を備える点と、出力決定部４５０の代わりに出力決定部４５０ａを備える点とが相違する。
【０１２１】
第２のフィルタ部４６０は、第２の信号波形４４５を滑らかな曲線で構成される信号波形に変換し、第２の出力波形として出力する。第２のフィルタ部４６０は、例えば、第１のフィルタ部１３０と同じである。
【０１２２】
出力決定部４５０ａは、第１の出力波形と第２の出力波形とに基づいて、第１の光源４２１及び第２の光源４２２の各々が出射する光の強度を決定する。つまり、出力決定部４５０ａは、第１の出力波形に基づいて照明光の強度を滑らかに（すなわち、連続的に）変化させ、かつ、第２の出力波形に基づいて照明光の色温度を強度に応じて滑らかに（すなわち、連続的に）変化させる。
【０１２３】
第２の信号波形４４５は、第２のフィルタ部４６０を通過することで、滑らかな曲線の波形になる。例えば、図１２Ａに示す第２の信号波形４４５ａが滑らかな曲線波形になることで、変調波形の信号強度に応じて色温度が滑らかに変化する。同様に、図１３Ａに示す第２の信号波形４４５ｂが滑らかな曲線波形になることで、照明光の強度の絶対値に応じて照明光の色温度が滑らかに変化する。
【０１２４】
以上のように、本変形例に係る点灯装置では、例えば、照明制御部４１０ａは、さらに、第２の信号波形４４５を滑らかな曲線で構成される信号波形に変換し、第２の出力波形として出力する第２のフィルタ部４６０を有し、出力決定部４５０ａは、第１の出力波形１３１と第２の出力波形とに基づいて、第１の光源４２１及び第２の光源４２２の各々が出射する光の強度を決定する。
【０１２５】
これにより、照明光の強度だけでなく、光色（色温度）も滑らかに変化させることができるので、例えば、ユーザ２のリラックス効果を高め、心地良い眠りに誘うことができる。
【０１２６】
［変形例２］
次に、実施の形態４の変形例２について説明する。
【０１２７】
実施の形態４では、第２の信号波形４４５が、第１の出力波形の強度と照明光の色温度との関係を示す信号波形である例について示したが、これに限らない。本変形例で示すように、第２の信号波形４４５は、経過時間と照明光の色温度とを示す信号波形でもよい。
【０１２８】
具体的には、本変形例に係る照明制御部４１０は、照明光の色温度が、照明光の強度の増減の繰り返しの開始時点から単調減少するように、照明部４２０を制御する。つまり、照明制御部４１０は、揺らぎモードが開始した時点からの経過時間に応じて、照明光の色温度を変化する。
【０１２９】
図１５Ａは、本変形例に係る第２の信号波形４４５ｃを示す図である。図１５Ａでは、横軸が時間であり、縦軸が色温度を示している。図１５Ａに示すように、第２の信号波形４４５ｃは、直線で構成されている。具体的には、第２の信号波形４４５ｃは、傾きが負の直線で構成されている。なお、第２の信号波形４４５ｃは、階段状の折線で構成されていてもよい。
【０１３０】
図１５Ｂは、図１５Ａに示す第２の信号波形４４５ｃに基づく照明光の一例を示す図である。図１５Ｂに示すように、照明光は、強度の増減を繰り返しながら、時間が経過するにつれて、色温度が一定の割合で減少する。この減少の割合が、図１５Ａに示す第２の信号波形４４５ｃの傾きである。
【０１３１】
このように、本変形例に係る点灯装置では、例えば、照明光の光色は、照明光の色温度であり、照明制御部４１０は、照明光の色温度が、照明光の強度の増減の繰り返しの開始時点から単調減少するように、照明部４２０を制御する。
【０１３２】
これにより、明るい状態と暗い状態とを繰り返しながら、徐々に暗くしていくことができるので、ユーザ２を心地良い眠りに誘うことができる。
【０１３３】
（実施の形態５）
続いて、実施の形態５について説明する。
【０１３４】
上記の実施の形態１〜４では、折線で構成される第１の信号波形をフィルタによって、滑らかな曲線で構成される信号波形に変換する例について示した。これに対して、本実施の形態では、フィルタを通過後の信号波形に基づいて制御される照明光の特徴について主に説明する。
【０１３５】
［構成］
図１６は、本実施の形態に係る点灯装置５００を備える照明器具５０１の構成を示す機能ブロック図である。図１６に示すように、照明器具５０１は、電源部１０と、点灯装置５００と、照明部２０とを備える。
【０１３６】
点灯装置５００は、照明部２０の点灯及び消灯、並びに、調光などを制御する装置である。点灯装置５００は、照明部２０を制御する照明制御部５１０を備える。
【０１３７】
照明制御部５１０は、実施の形態１に係る照明制御部１１０と同様に、照明部２０を揺らぎモードで動作させる。揺らぎモードでは、照明部２０が出射する照明光の強度が、増減を繰り返しながら徐々に減少していく。
【０１３８】
本実施の形態では、照明制御部５１０は、照明光（揺らぎ照明光）の強度の増減の繰り返し周期における強度の最大値若しくは最小値、又は、最大値及び最小値の両方が漸次減少するように、照明部２０を制御する。以下では、照明部２０が発する揺らぎ照明光の具体例について、図１７Ａ〜図１７Ｈを用いて説明する。
【０１３９】
＜第１の例（最大値が減少）＞
第１の例では、照明制御部５１０は、照明光の強度の増減の繰り返し周期における強度の最大値が漸次減少するように、照明部２０を制御する。
【０１４０】
図１７Ａは、本実施の形態に係る点灯装置５００によって制御された照明部２０が出射する照明光の強度の時間変化の第１の例を示す図である。図１７Ａでは、横軸が時間を示し、縦軸が照明光の強度を示している。なお、後述する図１７Ｂ〜図１７Ｈについても同様である。
【０１４１】
図１７Ａに示す第１の例の揺らぎ照明光５２０ａでは、強度の増減の繰り返し周期における強度の最大値が漸次減少している。すなわち、強度の揺らぎ毎の最大値（以下、揺らぎ最大値と記載する）が漸次減少している。減少の割合は、例えば一定であるが、時間の経過と共に段階的に又は滑らかに変化してもよい。例えば、減少の割合が０から徐々に大きくなることで、揺らぎ最大値が緩やかに減少を始め、徐々に急激に減少していくような揺らぎ照明光が出射される。逆に、減少の割合が所定の値から０まで徐々に小さくなることで、揺らぎ最大値が急激に減少を始め、徐々に緩やかに減少していくような揺らぎ照明光が出射される。
【０１４２】
なお、第１の例では、強度の増減の繰り返し周期における強度の最小値は、所定の強度で一定である。すなわち、強度の揺らぎ毎の最小値（以下、揺らぎ最小値と記載する）が一定である。図１７Ａでは、揺らぎ最小値が０ではない例を示しているが、０でもよい。
【０１４３】
また、第１の例では、揺らぎ最大値が漸次減少する例を示したが、揺らぎ最小値が漸次減少してもよい。
【０１４４】
＜第２の例（最大値及び最小値が一定割合で減少）＞
第２の例では、照明制御部５１０は、繰り返し周期における強度の最大値及び最小値が互いに略同じ割合で漸次減少するように、照明部２０を制御する。
【０１４５】
図１７Ｂは、本実施の形態に係る点灯装置５００によって制御された照明部２０が出射する照明光の強度の時間変化の第２の例を示す図である。
【０１４６】
図１７Ｂに示す第２の例の揺らぎ照明光５２０ｂでは、揺らぎ最大値及び揺らぎ最小値の両方が漸次減少している。揺らぎ最大値及び最小値の各々の減少の割合は、例えば、一定であるが、時間の経過と共に段階的に又は滑らかに変化してもよい。このとき、揺らぎ最大値の減少の割合と、揺らぎ最小値の減少の割合とは同じである。このため、揺らぎの幅（最大値と最小値との差）は、揺らぎ毎に一定である。
【０１４７】
＜第３の例（最大値及び最小値が異なる割合で減少）＞
第３の例では、照明制御部５１０は、繰り返し周期における強度の最大値及び最小値が互いに異なる割合で漸次減少するように、照明部２０を制御する。
【０１４８】
図１７Ｃは、本実施の形態に係る点灯装置５００によって制御された照明部２０が出射する照明光の強度の時間変化の第３の例を示す図である。
【０１４９】
図１７Ｃに示す第３の例の揺らぎ照明光５２０ｃでは、揺らぎ最大値及び揺らぎ最小値の両方が漸次減少している。揺らぎ最大値及び最小値の各々の減少の割合は、例えば、一定であるが、時間の経過と共に段階的に又は滑らかに変化してもよい。このとき、揺らぎ最大値の減少の割合は、揺らぎ最小値の減少の割合より大きい。このため、揺らぎの幅は、揺らぎ毎に徐々に小さくなる。
【０１５０】
＜第４の例（第１の例と第２の例との組み合わせ）＞
第４の例では、照明制御部５１０は、繰り返し周期における最小値を所定の値で第１の期間維持した後、当該最小値が漸次減少するように、照明部２０を制御する。
【０１５１】
図１７Ｄは、本実施の形態に係る点灯装置５００によって制御された照明部２０が出射する照明光の強度の時間変化の第４の例を示す図である。
【０１５２】
図１７Ｄに示す第４の例の揺らぎ照明光５２０ｄは、第１の例の揺らぎ照明光５２０ａと第２の例の揺らぎ照明光５２０ｂとを組み合わせた照明光である。具体的には、揺らぎ照明光５２０ｄは、期間Ｔ１１では、揺らぎ最小値が一定で、かつ、揺らぎ最大値が所定の割合で減少している。期間Ｔ１２では、揺らぎ最大値及び揺らぎ最小値の両方が所定の割合で減少している。期間Ｔ１１と期間Ｔ１２とは、同じ期間でもよく、いずれか一方が長くてもよい。
【０１５３】
なお、ここでは、第１の例と第２の例とを組み合わせたが、これに限らず、上述した又は後述する第１〜第８の例のうち２つ以上の例を組み合わせてもよい。組み合わせる個数及び順序も特に限定されない。
【０１５４】
＜第５の例＞
第５の例では、照明制御部５１０は、繰り返し周期における強度の最大値又は最小値の漸次減少を開始してから第２の期間経過した後、当該最小値が０になるように、照明部２０を制御する。具体的には、照明制御部５１０は、揺らぎモードの開始から第２の期間を経過した後、揺らぎ毎に照明部２０が瞬時的に消灯する。
【０１５５】
図１７Ｅは、本実施の形態に係る点灯装置５００によって制御された照明部２０が出射する照明光の強度の時間変化の第５の例を示す図である。
【０１５６】
図１７Ｅに示す第５の例の揺らぎ照明光５２０ｅは、期間Ｔ２１では、第１の例の揺らぎ照明光５２０ａと同様に、揺らぎ最小値が、０ではない所定の値で略一定であり、かつ、揺らぎ最大値が所定の割合で減少している。期間Ｔ２１の経過後、期間Ｔ２２では、揺らぎ最小値が０で一定であり、かつ、揺らぎ最大値が所定の割合で減少している。ここでは、期間Ｔ２１と期間Ｔ２２とで、揺らぎ最大値の減少の割合は同じであるが、異なっていてもよい。期間Ｔ２１と期間Ｔ２２とは、同じ期間でもよく、いずれか一方が長くてもよい。
【０１５７】
＜第６の例＞
第６の例では、照明制御部５１０は、繰り返し周期における強度の最小値が０となる場合に、当該最小値が０で第３の期間維持されるように、照明部２０を制御する。具体的には、照明制御部５１０は、揺らぎモードにおいて、揺らぎ毎に消灯期間を設けている。
【０１５８】
図１７Ｆは、本実施の形態に係る点灯装置５００によって制御された照明部２０が出射する照明光の強度の時間変化の第６の例を示す図である。
【０１５９】
図１７Ｆに示す第６の例の揺らぎ照明光５２０ｆは、期間Ｔ２１では、第５の例で示した揺らぎ照明光５２０ｅと同じである。揺らぎ照明光５２０ｆは、期間Ｔ２２内に、揺らぎ最小値が０で維持される消灯期間Ｔ２３が含まれる。図１７Ｆでは、互いに長さが同じである４つの消灯期間Ｔ２３が含まれている。
【０１６０】
＜第７の例＞
第７の例では、照明制御部５１０は、繰り返し周期における強度の最小値が０になったと、繰り返し周期における強度の最大値が第１の値になるように、照明部２０を制御する。具体的には、照明制御部５１０は、揺らぎモードにおいて、揺らぎ毎に消灯期間を設ける場合に、揺らぎ最大値を略一定にする。
【０１６１】
図１７Ｇは、本実施の形態に係る点灯装置５００によって制御された照明部２０が出射する照明光の強度の時間変化の第７の例を示す図である。
【０１６２】
図１７Ｇに示す第７の例の揺らぎ照明光５２０ｇは、期間Ｔ２１では、第５の例で示した揺らぎ照明光５２０ｅと同じであり、期間Ｔ２２では、第６の例で示した揺らぎ照明光５２０ｆと同様に、消灯期間Ｔ２３が設けられている。揺らぎ照明光５２０ｇは、期間Ｔ２２では、揺らぎ最大値が値ｔｈで一定である。なお、値ｔｈは、期間Ｔ２１における揺らぎ最小値と同じであるが、これに限らない。値ｔｈは、期間Ｔ２１における揺らぎ最小値より小さくてもよく、大きくてもよい。
【０１６３】
＜第８の例＞
第８の例では、照明制御部５１０は、揺らぎモードにおいて、揺らぎ毎に消灯期間を設ける場合に、消灯期間を漸次増大させる。
【０１６４】
図１７Ｈは、本実施の形態に係る点灯装置５００によって制御された照明部２０が出射する照明光の強度の時間変化の第８の例を示す図である。
【０１６５】
図１７Ｈに示す第８の例の揺らぎ照明光５２０ｈは、期間Ｔ２１では、第７の例で示した揺らぎ照明光５２０ｇと同じであり、期間Ｔ２２では、第７の例で示した揺らぎ照明光５２０ｇと同様に、複数の消灯期間Ｔ２３ａ〜Ｔ２３ｄが設けられている。複数の消灯期間Ｔ２３ａ〜Ｔ２３ｄは、繰り返し周期毎に、すなわち、揺らぎ毎に漸次増加している。つまり、揺らぎ照明光５２０ｈの期間Ｔ２２では、消灯時間が揺らぎ毎に長くなっている。
【０１６６】
［効果など］
以上のように、本実施の形態に係る点灯装置５００では、例えば、照明制御部５１０は、照明光の強度の増減の繰り返し周期における強度の最大値若しくは最小値、又は、最大値及び最小値の両方が漸次減少するように、照明部２０を制御する。
【０１６７】
これにより、強度の増減の繰り返しにおいて、最大値及び最小値の少なくとも一方が減少するので、出射される揺らぎ照明光は徐々に暗くなる。したがって、ユーザ２を心地良い眠りに誘うことができる。
【０１６８】
また、例えば、照明制御部５１０は、繰り返し周期における強度の最小値を所定の値で期間Ｔ１１、維持した後、当該最小値が漸次減少するように、照明部２０を制御してもよい。
【０１６９】
これにより、揺らぎモードが開始された後、第１の期間においては消灯せずに所定の明るさ以上の明るさを維持することができる。このため、急に暗くなることを抑制することができるので、ユーザ２を心地良い眠りにスムーズに誘うことができる。
【０１７０】
また、例えば、照明制御部５１０は、繰り返し周期における強度の最大値又は最小値の漸次減少を開始してから期間Ｔ２１、経過した後、当該最小値が０になるように、照明部２０を制御してもよい。
【０１７１】
これにより、揺らぎ毎に瞬間的に消灯させることができるので、ユーザ２が眠りに入っていくのに合わせて徐々に暗くすることができる。瞬間的に発光強度を０にできるので、消費電力を低減することができる。
【０１７２】
また、例えば、照明制御部５１０は、繰り返し周期における強度の最小値が０となる場合に、当該最小値が０で所定の期間（消灯期間Ｔ２３）維持されるように、照明部２０を制御してもよい。
【０１７３】
これにより、揺らぎ毎に消灯期間を設けることができるので、ユーザ２がより深い眠りに入っていくのに合わせて暗い期間を長くすることができる。発光強度を０にできる期間が設けられているので、消費電力を低減することができる。
【０１７４】
また、例えば、消灯期間Ｔ２３は、繰り返し周期毎に漸次増大してもよい。
【０１７５】
これにより、消灯期間を徐々に長くすることができるので、消費電力を一層低減することができる。
【０１７６】
また、例えば、照明制御部５１０は、繰り返し周期における強度の最小値が０になった後、繰り返し周期における強度の最大値が第１の値（例えば、値ｔｈ）になるように、照明部２０を制御してもよい。
【０１７７】
これにより、暗くなった後に明るくなりすぎることを抑制することができる。また、発光強度の最大値を第１の値以下に抑えることができるので、消費電力を一層低減することができる。
【０１７８】
（実施の形態６）
続いて、実施の形態６について説明する。
【０１７９】
本実施の形態では、実施の形態４と同様に、照明部が複数の光源を有し、照明光の光色を変更することができる。
【０１８０】
［構成］
図１８は、本実施の形態に係る点灯装置６００を備える照明器具６０１の構成を示す機能ブロック図である。図１８に示すように、照明器具６０１は、電源部１０と、点灯装置６００と、照明部４２０とを備える。
【０１８１】
点灯装置６００は、照明部４２０の点灯及び消灯、並びに、調光などを制御する装置である。点灯装置６００は、照明部４２０を制御する照明制御部６１０を備える。
【０１８２】
照明制御部６１０は、実施の形態４に係る照明制御部４１０と同様に、照明部４２０を揺らぎモードで動作させる。揺らぎモードでは、照明部４２０が出射する照明光の強度が、増減を繰り返しながら徐々に減少し、かつ、光色が所定の条件に基づいて変化する。
【０１８３】
照明制御部６１０は、照明光の強度が第２の値以下の場合に、第１の光源４２１及び第２の光源４２２のうち第１の光源４２１のみから光が出射されるように、照明部４２０を制御する。なお、第１の光源４２１が出射する光は、第２の光源４２２が出射する光よりも色温度が低い。
【０１８４】
本実施の形態では、照明制御部６１０は、繰り返し周期における強度の最小値が０になった後、第１の光源４２１及び第２の光源４２２のうち第１の光源４２１のみから光が出射されるように、照明部４２０を制御する。具体的には、照明制御部６１０は、揺らぎモードにおいて、明るさが第２の値より低い光（すなわち、暗い光）を出射する場合に、当該暗い光の色温度を低くする。例えば、揺らぎモードにおいて、暗い光は電球色の光になり、明るい光は昼白色又は昼光色になる。
【０１８５】
以下では、照明部４２０が発する揺らぎ照明光の具体例について、図１９Ａ〜図１９Ｃを用いて説明する。
【０１８６】
図１９Ａ〜図１９Ｃはそれぞれ、本実施の形態に係る点灯装置６００によって制御された照明部４２０が出射する照明光の強度の時間変化の第１〜第３の例を示す図である。
【０１８７】
図１９Ａに示す第１の例の揺らぎ照明光６２０ａは、実施の形態５の第５の例に示す揺らぎ照明光５２０ｅに対応している。すなわち、揺らぎ照明光６２０ａと揺らぎ照明光５２０ｅとで、強度の時間変化が同じである。同様に、図１９Ｂに示す第２の例の揺らぎ照明光６２０ｂは、実施の形態５の第６の例に示す揺らぎ照明光５２０ｆに対応している。図１９Ｃに示す第３の例の揺らぎ照明光６２０ｃは、実施の形態５の第７の例に示す揺らぎ照明光５２０ｇに対応している。
【０１８８】
図１９Ａ〜図１９Ｃに示すように、強度が値ｔｈより小さい場合に、照明制御部６１０は、第１の光源４２１のみを発光させる。また、強度が値ｔｈ以上である場合に、照明制御部６１０は、第１の光源４２１と第２の光源４２２との両方を発光させる。なお、図１９Ａ〜図１９Ｃには、第１の光源４２１のみが発光している部分を太線で示している。
【０１８９】
ここでは、値ｔｈは、期間Ｔ２１における揺らぎ最小値に等しい。したがって、期間Ｔ２１では、第１の光源４２１及び第２の光源４２２の両方からの出射光の混合光が、照明部４２０から出射される。このため、期間Ｔ２１では、第１の光源４２１及び第２の光源４２２の各々からの出射光の混合比率に応じた色温度の光が揺らぎ照明光として出射される。
【０１９０】
［効果など］
以上のように、本実施の形態に係る点灯装置６００では、例えば、照明部４２０は、第１の光源４２１と、第１の光源４２１より色温度が高い光を出射する第２の光源４２２とを含み、照明制御部６１０は、照明光の強度が第２の値（例えば、値ｔｈ）より小さい場合に、第１の光源４２１及び第２の光源４２２のうち第１の光源４２１のみから光が出射されるように、照明部４２０を制御する。
【０１９１】
具体的には、色温度の高い光を発する光源（第２の光源４２２）では、深い調光（調光比が十分に小さい）を行うことが難しく、安定した発光強度で光を出射することが難しい。本実施の形態に係る点灯装置６００では、強度が低い場合には第１の光源４２１のみを点灯させるので、無理なく調光を行うことができる。
【０１９２】
また、例えば、照明制御部６１０は、繰り返し周期における強度の最小値が０になった後、第１の光源４２１及び第２の光源４２２のうち第１の光源４２１のみから光が出射されるように、照明部４２０を制御する。
【０１９３】
これにより、揺らぎにおいて消灯した後、第１の光源４２１のみを点灯させて深い調光を行うことができ、ユーザ２を心地良い眠りに誘うための照明光を出射することができる。
【０１９４】
（その他）
以上、本発明に係る点灯装置、電子機器及び照明器具について、上記の各実施の形態及びその変形例に基づいて説明したが、本発明は、上記の実施の形態に限定されるものではない。
【０１９５】
例えば、上記の実施の形態では、変調波形の時間軸方向の大きさを常に一定としているが、これに限らない。変調波形の時間軸方向の大きさも変化させてもよい。これにより、揺らぎの時間幅（１つの揺らぎの時間）が、揺らぎ毎に変化してもよい。
【０１９６】
また、例えば、上記の実施の形態では、第１の基準波形２２２及び第２の基準波形３２４が単調減少関数で表される例について示したが、これに限らない。第１の基準波形２２２及び第２の基準波形３２４は、単調増加関数で表されてもよい。あるいは、第１の基準波形２２２及び第２の基準波形３２４は、増加と減少とを含む折線で構成されていてもよい。
【０１９７】
また、例えば、上記の実施の形態では、照明部４２０が、色温度の異なる第１の光源４２１と第２の光源４２２とを備える例について示したが、これに限らない。照明部４２０は、光色が異なる複数の光源を備えてもよい。例えば、照明部４２０は、赤色（Ｒ）光源、緑色（Ｇ）光源及び青色（Ｂ）光源を備えてもよい。赤色光源、緑色光源及び青色光源の各々の発光強度（光量）を調整することで、照明部４２０は、白色以外の有色光を出射することができてもよい。
【０１９８】
また、例えば、上記の実施の形態では、照明器具１又は電子機器４が、ユーザ２を心地良い眠りに誘うことができる揺らぎ照明光を出射する例について示したが、これに限らない。例えば、１／ｆ揺らぎにはリラックス効果を有するため、リビングルームなどでくつろぐユーザ２に対して照明光を照射してもよい。また、リラックス効果だけでなく、強度の増減を繰り返すことで、緊急事態などを報知する目的で出射する揺らぎ照明光（点滅光）として利用することもできる。
【０１９９】
また、上記の各実施の形態において、各構成要素は、専用のハードウェアで構成されてもよく、あるいは、各構成要素に適したソフトウェアプログラムを実行することによって実現されてもよい。各構成要素は、ＣＰＵ（Ｃｅｎｔｒａｌ  Ｐｒｏｃｅｓｓｉｎｇ  Ｕｎｉｔ）又はプロセッサなどのプログラム実行部が、ハードディスク又は半導体メモリなどの記録媒体に記録されたソフトウェアプログラムを読み出して実行することによって実現されてもよい。
【０２００】
なお、本発明は、点灯装置として実現できるだけでなく、点灯装置の各構成要素が行う処理をステップとして含むプログラム、及び、そのプログラムを記録したコンピュータ読み取り可能なＤＶＤ（Ｄｉｇｉｔａｌ  Ｖｅｒｓａｔｉｌｅ  Ｄｉｓｃ）などの記録媒体として実現することもできる。
【０２０１】
つまり、上述した包括的又は具体的な態様は、システム、装置、集積回路、コンピュータプログラム又はコンピュータ読み取り可能な記録媒体で実現されてもよく、システム、装置、集積回路、コンピュータプログラム及び記録媒体の任意な組み合わせで実現されてもよい。
【０２０２】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０２０３】
１、４０１、５０１、６０１  照明器具
４  電子機器
２０、４２０  照明部
１００、４００、５００、６００  点灯装置
１１０、２１０、３１０、４１０、４１０ａ、５１０、６１０  照明制御部
１２５、２２５、３２５  第１の信号波形
１３０  第１のフィルタ部
２２１、３２１  信号波形生成部
２２２  第１の基準波形
２２３  変調波形
Ｐ０  始点
Ｐ１、Ｐ２、Ｐ３  構成点
ＰＥ  終点
Ｔ１１  期間（第１の期間）
Ｔ２１  期間（第２の期間）
Ｔ２３、Ｔ２３ａ、Ｔ２３ｂ、Ｔ２３ｃ、Ｔ２３ｄ  消灯期間
１３１  第１の出力波形
３２４  第２の基準波形
４２１  第１の光源
４２２  第２の光源
４４５、４４５ａ、４４５ｂ、４４５ｃ  第２の信号波形
４５０、４５０ａ  出力決定部
４６０  第２のフィルタ部
５２０ａ、５２０ｂ、５２０ｃ、５２０ｄ、５２０ｅ、５２０ｆ、５２０ｇ、５２０ｈ、６２０ａ、６２０ｂ、６２０ｃ  揺らぎ照明光
【図１】
2018147566.tif 000003
【図２】
2018147566.tif 000004
【図３】
2018147566.tif 000005
【図４】
2018147566.tif 000006
【図５】
2018147566.tif 000007
【図６】
2018147566.tif 000008
【図７】
2018147566.tif 000009
【図８】
2018147566.tif 000010
【図９】
2018147566.tif 000011
【図１０】
2018147566.tif 000012
【図１１】
2018147566.tif 000013
【図１２Ａ】
2018147566.tif 000014
【図１２Ｂ】
2018147566.tif 000015
【図１３Ａ】
2018147566.tif 000016
【図１３Ｂ】
2018147566.tif 000017
【図１４】
2018147566.tif 000018
【図１５Ａ】
2018147566.tif 000019
【図１５Ｂ】
2018147566.tif 000020
【図１６】
2018147566.tif 000021
【図１７Ａ】
2018147566.tif 000022
【図１７Ｂ】
2018147566.tif 000023
【図１７Ｃ】
2018147566.tif 000024
【図１７Ｄ】
2018147566.tif 000025
【図１７Ｅ】
2018147566.tif 000026
【図１７Ｆ】
2018147566.tif 000027
【図１７Ｇ】
2018147566.tif 000028
【図１７Ｈ】
2018147566.tif 000029
【図１８】
2018147566.tif 000030
【図１９Ａ】
2018147566.tif 000031
【図１９Ｂ】
2018147566.tif 000032
【図１９Ｃ】
2018147566.tif 000033